【手続補正書】
【提出日】平成20年5月2日(2008.5.2)
【手続補正１】
【補正対象書類名】特許請求の範囲
【補正対象項目名】全文
【補正方法】変更
【補正の内容】
【特許請求の範囲】
【請求項１】
撮像装置と接続する接続手段と、
前記接続手段に接続された撮像装置から、該撮像装置の機種情報、該撮像装置に設定されている撮影条件情報、及び該撮像装置に装備されている脱着可能な機器の情報のうち、少なくとも１つを取得する取得手段と、
記憶部に記憶された画像の中から前記取得手段で取得した情報を検索条件として画像を検索する検索手段とを有することを特徴とする画像検索装置。
【請求項２】
前記脱着可能な機器の情報は、前記接続手段に接続された撮像装置に装備された脱着可能な機器を識別する識別情報、及び該機器に設定された設定情報のうち、少なくとも一方であることを特徴とする請求項１に記載の画像検索装置。
【請求項３】
前記脱着可能な機器の情報は、ストロボの情報であることを特徴とする請求項２に記載の画像検索装置。
【請求項４】
前記脱着可能な機器の情報は、鏡筒の情報であることを特徴とする請求項１に記載の画像検索装置。
【請求項５】
前記鏡筒の情報は、該鏡筒の識別情報、及び該鏡筒の仕様情報のうち、少なくとも一方であることを特徴とする請求項４に記載の画像検索装置。
【請求項６】
前記取得手段で取得した情報のうち、前記検索手段が検索条件として検索に用いる情報を選択する選択手段をさらに有することを特徴とする請求項１〜５のいずれか１項に記載の画像検索装置。
【請求項７】
前記検索手段で検索された画像を表示するよう制御する表示制御手段をさらに有することを特徴とする請求項１〜６のいずれか１項に記載の画像検索装置。
【請求項８】
被写体を撮像する撮像装置であって、
該撮像装置の機種情報、該撮像装置に設定されている撮影条件情報、及び該撮像装置に装備されている脱着可能な機器の情報のうち、少なくとも１つを取得する取得手段と、
記憶部に記憶された画像の中から前記取得手段で取得した情報を検索条件として画像を検索する検索手段とを有することを特徴とする撮像装置。
【請求項９】
撮像装置と接続する接続手段と、
前記接続手段に接続された撮像装置における撮影条件の設定を行うための、該撮像装置の操作部材の動作情報を取得する取得手段と、
前記取得手段で取得した動作情報に基づいて、検索条件としての撮影条件を設定する検索条件設定手段と、
記憶部に記憶された画像の中から前記検索条件設定手段で設定された検索条件で画像を検索する検索手段とを有することを特徴とする画像検索装置。
【請求項１０】
接続手段に接続された撮像装置から、該撮像装置の機種情報、該撮像装置に設定されている撮影条件情報、及び該撮像装置に装備されている脱着可能な機器の情報のうち、少なくとも１つを取得する取得工程と、
記憶部に記憶された画像の中から前記取得工程において取得した情報を検索条件として画像を検索する検索工程とを有することを特徴とする画像検索方法。
【請求項１１】
被写体を撮像する撮像装置の制御方法であって、
該撮像装置の機種情報、該撮像装置に設定されている撮影条件情報、及び該撮像装置に装備されている脱着可能な機器の情報のうち、少なくとも１つを取得する取得工程と、
記憶部に記憶された画像の中から前記取得工程において取得した情報を検索条件として画像を検索する検索工程とを有することを特徴とする撮像装置の制御方法。
【請求項１２】
接続手段に接続された撮像装置における撮影条件の設定を行うための、該撮像装置の操作部材の動作情報を取得する取得工程と、
前記取得工程において取得した動作情報に基づいて、検索条件としての撮影条件を設定する検索条件設定工程と、
記憶部に記憶された画像の中から前記検索条件設定工程において設定された検索条件で画像を検索する検索工程とを有することを特徴とする画像検索方法。
【請求項１３】
接続手段に接続された撮像装置から、該撮像装置の機種情報、該撮像装置に設定されている撮影条件情報、及び該撮像装置に装備されている脱着可能な機器の情報のうち、少なくとも１つを取得する取得工程と、
記憶部に記憶された画像の中から前記取得工程において取得した情報を検索条件として画像を検索する検索工程とをコンピュータに実行させることを特徴とするプログラム。
【請求項１４】
被写体を撮像する撮像装置においてコンピュータに実行させるプログラムであって、
該撮像装置の機種情報、該撮像装置に設定されている撮影条件情報、及び該撮像装置に装備されている脱着可能な機器の情報のうち、少なくとも１つを取得する取得工程と、
記憶部に記憶された画像の中から前記取得工程において取得した情報を検索条件として画像を検索する検索工程とをコンピュータに実行させることを特徴とするプログラム。
【請求項１５】
接続手段に接続された撮像装置における撮影条件の設定を行うための、該撮像装置の操作部材の動作情報を取得する取得工程と、
前記取得工程において取得した動作情報に基づいて、検索条件としての撮影条件を設定する検索条件設定工程と、
記憶部に記憶された画像の中から前記検索条件設定工程において設定された検索条件で画像を検索する検索工程とをコンピュータに実行させることを特徴とするプログラム。
【請求項１６】
請求項１３〜１５のいずれか１項に記載のプログラムを記録したことを特徴とするコンピュータ読み取り可能な記録媒体。
【手続補正２】
【補正対象書類名】明細書
【補正対象項目名】発明の名称
【補正方法】変更
【補正の内容】
【発明の名称】画像検索装置、画像検索方法、プログラム及び記録媒体
【手続補正３】
【補正対象書類名】明細書
【補正対象項目名】０００１
【補正方法】変更
【補正の内容】
【０００１】
本発明は画像検索装置、撮像装置、画像検索方法、撮像装置の制御方法、プログラム及び記録媒体に関し、特に、情報処理装置に保存された多数の画像データの中から所望の画像データを検索するために用いて好適な技術に関するものである。
【手続補正４】
【補正対象書類名】明細書
【補正対象項目名】０００８
【補正方法】変更
【補正の内容】
【０００８】
本発明の画像検索装置は、撮像装置と接続する接続手段と、前記接続手段に接続された撮像装置から、該撮像装置の機種情報、該撮像装置に設定されている撮影条件情報、及び該撮像装置に装備されている脱着可能な機器の情報のうち、少なくとも１つを取得する取得手段と、記憶部に記憶された画像の中から前記取得手段で取得した情報を検索条件として画像を検索する検索手段とを有することを特徴とする。
また、本発明の画像検索装置の他の特徴とするところは、撮像装置と接続する接続手段と、前記接続手段に接続された撮像装置における撮影条件の設定を行うための、該撮像装置の操作部材の動作情報を取得する取得手段と、前記取得手段で取得した動作情報に基づいて、検索条件としての撮影条件を設定する検索条件設定手段と、記憶部に記憶された画像の中から前記検索条件設定手段で設定された検索条件で画像を検索する検索手段とを有することを特徴とする。
【手続補正５】
【補正対象書類名】明細書
【補正対象項目名】０００９
【補正方法】変更
【補正の内容】
【０００９】
本発明の撮像装置は、被写体を撮像する撮像装置であって、該撮像装置の機種情報、該撮像装置に設定されている撮影条件情報、及び該撮像装置に装備されている脱着可能な機器の情報のうち、少なくとも１つを取得する取得手段と、記憶部に記憶された画像の中から前記取得手段で取得した情報を検索条件として画像を検索する検索手段とを有することを特徴とする。
【手続補正６】
【補正対象書類名】明細書
【補正対象項目名】００１０
【補正方法】変更
【補正の内容】
【００１０】
本発明の画像検索方法は、接続手段に接続された撮像装置から、該撮像装置の機種情報、該撮像装置に設定されている撮影条件情報、及び該撮像装置に装備されている脱着可能な機器の情報のうち、少なくとも１つを取得する取得工程と、記憶部に記憶された画像の中から前記取得工程において取得した情報を検索条件として画像を検索する検索工程とを有することを特徴とする。
また、本発明の画像検索方法の他の特徴とするところは、接続手段に接続された撮像装置における撮影条件の設定を行うための、該撮像装置の操作部材の動作情報を取得する取得工程と、前記取得工程において取得した動作情報に基づいて、検索条件としての撮影条件を設定する検索条件設定工程と、記憶部に記憶された画像の中から前記検索条件設定工程において設定された検索条件で画像を検索する検索工程とを有することを特徴とする。
【手続補正７】
【補正対象書類名】明細書
【補正対象項目名】００１１
【補正方法】変更
【補正の内容】
【００１１】
本発明の撮像装置の制御方法は、被写体を撮像する撮像装置の制御方法であって、該撮像装置の機種情報、該撮像装置に設定されている撮影条件情報、及び該撮像装置に装備されている脱着可能な機器の情報のうち、少なくとも１つを取得する取得工程と、記憶部に記憶された画像の中から前記取得工程において取得した情報を検索条件として画像を検索する検索工程とを有することを特徴とする。
【手続補正８】
【補正対象書類名】明細書
【補正対象項目名】００１２
【補正方法】削除
【補正の内容】
【手続補正９】
【補正対象書類名】明細書
【補正対象項目名】００１３
【補正方法】削除
【補正の内容】
【手続補正１０】
【補正対象書類名】明細書
【補正対象項目名】００１４
【補正方法】削除
【補正の内容】
【手続補正１１】
【補正対象書類名】明細書
【補正対象項目名】００１５
【補正方法】変更
【補正の内容】
【００１５】
本発明のプログラムは、接続手段に接続された撮像装置から、該撮像装置の機種情報、該撮像装置に設定されている撮影条件情報、及び該撮像装置に装備されている脱着可能な機器の情報のうち、少なくとも１つを取得する取得工程と、記憶部に記憶された画像の中から前記取得工程において取得した情報を検索条件として画像を検索する検索工程とをコンピュータに実行させることを特徴とする。
また、本発明のプログラムの他の特徴とするところは、被写体を撮像する撮像装置においてコンピュータに実行させるプログラムであって、該撮像装置の機種情報、該撮像装置に設定されている撮影条件情報、及び該撮像装置に装備されている脱着可能な機器の情報のうち、少なくとも１つを取得する取得工程と、記憶部に記憶された画像の中から前記取得工程において取得した情報を検索条件として画像を検索する検索工程とをコンピュータに実行させることを特徴とする。
また、本発明のプログラムのその他の特徴とするところは、接続手段に接続された撮像装置における撮影条件の設定を行うための、該撮像装置の操作部材の動作情報を取得する取得工程と、前記取得工程において取得した動作情報に基づいて、検索条件としての撮影条件を設定する検索条件設定工程と、記憶部に記憶された画像の中から前記検索条件設定工程において設定された検索条件で画像を検索する検索工程とをコンピュータに実行させることを特徴とする。
【手続補正１２】
【補正対象書類名】明細書
【補正対象項目名】００１６
【補正方法】変更
【補正の内容】
【００１６】
本発明の記録媒体は、前記のいずれかに記載のプログラムを記録したことを特徴とする。
【手続補正１３】
【補正対象書類名】明細書
【補正対象項目名】００１７
【補正方法】変更
【補正の内容】
【００１７】
本発明によれば、検索条件を速やかに入力することが可能となり、画像検索のためのキーワードをコンピュータ画面上で一つずつ設定する労力と時間を削減することができる。そのため、撮像装置のユーザーにとって使いやすい画像検索システムを提供することができる。
【手続補正１４】
【補正対象書類名】明細書
【補正対象項目名】００２２
【補正方法】変更
【補正の内容】
【００２２】
また、カメラ１０１は脱着可能なストロボ１０９のユニットを装備可能に構成され、ユーザーはストロボ１０９に装備されている第３の操作部材１０４を操作することより、ストロボ１０９の発光補正量、発光ズーム値等の設定を変更することができる。
【手続補正１５】
【補正対象書類名】明細書
【補正対象項目名】００３４
【補正方法】変更
【補正の内容】
【００３４】
図２における表示部材イメージ２１０には、ユーザーが図１の表示部材１０８を視認したときと同類のイメージが表示される。表示部材イメージ２１０の傍には、第４のチェックボックス２０９があり、チェックを入力できるようになっている。コンピュータ１０７は、内部にカメラ１０１の撮影設定Ｐ１と異なる撮影設定Ｐ２（表１を参照）を保持し、表示部材イメージ２１０に表示する。ユーザーは表示部材イメージ２１０が表示装置１０６に表示されているので撮影設定Ｐ２を視認することができる。ユーザーが撮影設定Ｐ２を変更したい場合は、第１の操作部材１０２を用いて変更する。
【手続補正１６】
【補正対象書類名】明細書
【補正対象項目名】００３５
【補正方法】変更
【補正の内容】
【００３５】
第１の操作部材１０２の動作はコンピュータ１０７に送出され、コンピュータ１０７は撮影設定Ｐ２を変更し、表示部材イメージ２１０を表示部材１０８と対応させる。ここで、第１の操作部材１０２の動作を有効／無効にする機能スイッチが「ＯＮ」になっている時は、コンピュータ１０７は撮影設定Ｐ２に撮影設定Ｐ１をコピーし、同一の撮影設定とする。また、機能スイッチが「ＯＦＦ」になっている時は、撮影設定Ｐ２は、撮影設定Ｐ１をコピーせず、手動でのみ変更可能な状態になる。
以上について、まとめると下表のようになる。
【手続補正１７】
【補正対象書類名】明細書
【補正対象項目名】００３７
【補正方法】変更
【補正の内容】
【００３７】
すなわち、本システムではカメラ１０１の操作部材１０２を用いて撮影設定を変更可能であるが、検索用の撮影条件と、通常の撮影条件が異なることを考慮して２つの撮影設定Ｐ１とＰ２とが存在している。このように、使い慣れた撮像装置の操作部材の操作に対応する操作情報を画像検索用の情報として用いるようにしたので、撮像装置のユーザーにとって使いやすい画像検索システムを提供することができる。
【手続補正１８】
【補正対象書類名】明細書
【補正対象項目名】００４３
【補正方法】変更
【補正の内容】
【００４３】
４１３は外部通信用のインターフェースであり、ＵＳＢ（Universal Serial Bus）、ＩＥＥＥ１３９４、無線ＬＡＮ、Bluetooth（登録商標）等の伝送路４１４介して外部情報機器４１５との間で画像信号の転送を行う。